(57)【要約】【課題】コンパクトに折り畳むことができ、かつ、折畳状態から迅速に組み立てられる厚紙製陳列台を提供する。【解決手段】折畳状態では、枠体１の対向する側壁１１が接近すると共に、対向する妻壁１２がヒンジ１８を軸に内側へ窪むように谷折りされ、受板３が中折線３３を軸に山折りされて、棚板２が上方へ跳ね上げられており、折畳状態からの組み立てに際し、枠体１の対向する側壁１１を引き離すと、対向する妻壁１２のヒンジ１８を軸とする折り曲げが伸ばされると共に、受板３の中折線３３に沿った折り曲げが伸ばされて、棚板２が下方へ揺動し、これに伴い、棚板２の両側部が斜折線２３を軸に谷折りされて、棚板２と妻壁１２との干渉が回避されると共に、受板３と妻壁１２との干渉が内入縁３４により回避されつつ、棚板２が枠体１にセットされるようにする。【選択図】図２
2019098140.tif 000002
【特許請求の範囲】
【請求項１】
角筒状の枠体(1)の内側に棚板(2)が設けられ、前記棚板(2)が受板(3)により下方から受け止められ、前記枠体(1)は、それぞれ対をなす側壁(11)及び妻壁(12)から成り、前記対向する妻壁(12)に上下に延びるヒンジ(18)を有し、前記棚板(2)が前記枠体(1)の一方の側壁(11)への接続部を軸に上下方向に揺動する折畳式の厚紙製陳列台において、
前記棚板(2)には、揺動の基端両側部から先端中央部へかけて斜折線(23)が入れられ、
前記受板(3)は、前記枠体(1)の他方の側壁(11)への基端側の接続部が上下方向の揺動軸となり、その接続部から離れた位置に屈曲軸となる中折線(33)を有し、両側縁が内側へ切れ込んだ内入縁(34)とされ、
前記受板(3)の先端側部分が前記棚板(2)の基端寄り部分を支持するように固着され、前記棚板(2)の斜折線(23)の内側に前記受板(3)の内入縁(34)が位置し、
折畳状態では、前記枠体(1)の対向する側壁(11)が接近すると共に、対向する妻壁(12)がヒンジ(18)を軸に内側へ窪むように谷折りされ、前記受板(3)が中折線(33)を軸に山折りされて、前記棚板(2)が上方へ跳ね上げられており、
折畳状態からの組み立てに際し、前記枠体(1)の対向する側壁(11)を引き離すと、対向する妻壁(12)のヒンジ(18)を軸とする折り曲げが伸ばされると共に、前記受板(3)の中折線(33)に沿った折り曲げが伸ばされて、前記棚板(2)が下方へ揺動し、
これに伴い、前記棚板(2)の両側部が斜折線(23)を軸に谷折りされて、前記棚板(2)と妻壁(12)との干渉が回避されると共に、前記受板(3)と妻壁(12)との干渉が内入縁(34)により回避されつつ、前記棚板(2)が前記枠体(1)にセットされ、前記棚板(2)の斜折線(23)を軸とする折り曲げが伸ばされて、組立状態となることを特徴とする厚紙製陳列台。
【請求項２】
請求項１に記載の厚紙製陳列台において、前記受板(3)は、両側縁の内入縁(34)が中折線(33)へかけて括れるような形状とされていることを特徴とする厚紙製陳列台。
【請求項３】
請求項１又は２に記載の厚紙製陳列台において、前記枠体(1)の対向する妻壁(12)の内側に、前記受板(3)を下方から支持する支持板(4)を備え、
前記支持板(4)に上下に延びるヒンジ(42)を有し、前記支持板(4)の両側が前記枠体(1)の対向する側壁(11)に折曲自在に接続され、
折畳状態と組立状態の変換過程では、前記支持板(4)が前記枠体(1)の妻壁(12)と連動してヒンジ(42)を軸に屈伸することを特徴とする厚紙製陳列台。
【請求項４】
請求項３に記載の厚紙製陳列台において、前記支持板(4)の幅方向の中間部から延出された連結片(43)の先端部が前記妻壁(12)の幅方向の中間部内面に接合され、
組立状態では、前記支持板(4)がヒンジ(42)を軸に内側へ折れ曲がっており、
組立状態から折畳状態への変換に際し、前記枠体(1)の対向する側壁(11)を接近させると、前記支持板(4)のヒンジ(42)を軸とする内側への折曲角度が拡大し、前記連結片(43)に引っ張られて前記妻壁(12)がヒンジ(18)を軸として内側へ折れ曲がることを特徴とする厚紙製陳列台。
【請求項５】
請求項１乃至４のいずれかに記載の厚紙製陳列台において、前記枠体(1)の妻壁(12)の上辺及び下辺の少なくとも一方に連設された補強片(16)が前記妻壁(12)の内面に重なり、
前記補強片(16)は、前記妻壁(12)のヒンジ(18)の位置から片側へずれて先端縁へ達する切目線で分割され、その一方の補強片(16)には、前記切目線のずれ方向へ張り出すストッパ部(16b)が形成され、
組立状態から折畳状態への変換に際し、前記妻壁(12)がヒンジ(18)を軸として外側へ折れ曲がろうとすると、前記ストッパ部(16b)が前記ヒンジ(18)の反対側で前記妻壁(12)の内面に押し付けられて、前記妻壁(12)の外側への折れ曲がりが阻止されることを特徴とする厚紙製陳列台。
【発明の詳細な説明】
【技術分野】
【０００１】
この発明は、店頭において折畳状態から組み立て、商品の陳列に使用する厚紙製陳列台に関するものである。
【背景技術】
【０００２】
従来、この種の厚紙製陳列台として、下記特許文献１には、図１５に示すようなものが提案されている。この陳列台は、枠体５１の内側に棚板６１が下方から脚体７１により支持された状態でセットされるものである。
【０００３】
枠体５１は、各一対の側壁５２及び妻壁５３が角筒状に連設されたものであり、一対の妻壁５３に上下に延びるヒンジ５４を有する。棚板６１は、一方の側壁５２の上端に連結板６２を介して揺動可能に連設されている。脚体７１は、上下各一対の受板７２及び足板７３の先端部同士が折曲部を介して起立板７４で連結され、各対の受板７２及び足板７３の基端部が対向する側壁５２にそれぞれ揺動可能に接続されたものとなっている。
【０００４】
このような厚紙製陳列台は、折畳状態で枠体５１の一対の妻壁５３がヒンジ５４を軸に内側へ窪むように谷折りされるので、嵩張ることがなく、保管時のスペース効率に優れ、店頭への運搬時等においても、取り扱いやすいものとなる。
【先行技術文献】
【特許文献】
【０００５】
【特許文献１】実用新案登録第２５１１７７０号公報
【発明の概要】
【発明が解決しようとする課題】
【０００６】
しかしながら、上記のような厚紙製陳列台では、店頭での商品陳列のため、折畳状態から組み立てる際、脚体７１を支持台として形成した後、棚板６１を枠体５１に折り入れて受板７２に載せなければならず、若干の手間を要する。
【０００７】
このため、商品の販売促進のために小売店へ提供しても、店員が組立作業を嫌って、実際に店頭に設置されない場合がある。
【０００８】
そこで、この発明は、コンパクトに折り畳むことができ、かつ、折畳状態から迅速に組み立てられる厚紙製陳列台を提供することを課題とする。
【課題を解決するための手段】
【０００９】
上記課題を解決するため、この発明は、角筒状の枠体の内側に棚板が設けられ、前記棚板が受板により下方から受け止められ、前記枠体は、それぞれ対をなす側壁及び妻壁から成り、前記対向する妻壁に上下に延びるヒンジを有し、前記棚板が前記枠体の一方の側壁への接続部を軸に上下方向に揺動する折畳式の厚紙製陳列台において、
前記棚板には、揺動の基端両側部から先端中央部へかけて斜折線が入れられ、
前記受板は、前記枠体の他方の側壁への基端側の接続部が上下方向の揺動軸となり、その接続部から離れた位置に屈曲軸となる中折線を有し、両側縁が内側へ切れ込んだ内入縁とされ、
前記受板の先端側部分が前記棚板の基端寄り部分を支持するように固着され、前記棚板の斜折線の内側に前記受板の内入縁が位置し、
折畳状態では、前記枠体の対向する側壁が接近すると共に、対向する妻壁がヒンジを軸に内側へ窪むように谷折りされ、前記受板が中折線を軸に山折りされて、前記棚板が上方へ跳ね上げられており、
折畳状態からの組み立てに際し、前記枠体の対向する側壁を引き離すと、対向する妻壁のヒンジを軸とする折り曲げが伸ばされると共に、前記受板の中折線に沿った折り曲げが伸ばされて、前記棚板が下方へ揺動し、
これに伴い、前記棚板の両側部が斜折線を軸に谷折りされて、前記棚板と妻壁との干渉が回避されると共に、前記受板と妻壁との干渉が内入縁により回避されつつ、前記棚板が前記枠体にセットされ、前記棚板の斜折線を軸とする折り曲げが伸ばされて、組立状態となるものとしたのである。
【００１０】
また、前記受板による棚板の受止面積を大きく確保するため、前記受板は、両側縁の内入縁が中折線へかけて括れるような形状とされているものとしたのである。
【００１１】
また、折畳構造を損なうことなく、棚板が大きな荷重に耐えられるようにするため、前記枠体の対向する妻壁の内側に、前記受板を下方から支持する支持板を備え、
前記支持板に上下に延びるヒンジを有し、前記支持板の両側が前記枠体の対向する側壁に折曲自在に接続され、
折畳状態と組立状態の変換過程では、前記支持板が前記枠体の妻壁と連動してヒンジを軸に屈伸するものとしたのである。
【００１２】
さらに、確実に折り畳むことができるようにするため、前記支持板を備えた厚紙製陳列台において、前記支持板の幅方向の中間部から延出された連結片の先端部が前記妻壁の幅方向の中間部内面に接合され、
組立状態では、前記支持板がヒンジを軸に内側へ折れ曲がっており、
組立状態から折畳状態への変換に際し、前記枠体の対向する側壁を接近させると、前記支持板のヒンジを軸とする内側への折曲角度が拡大し、前記連結片に引っ張られて前記妻壁がヒンジを軸として内側へ折れ曲がるものとしたのである。
【００１３】
また、折り畳みの確実性を向上させるため、前記枠体の妻壁の上辺及び下辺の少なくとも一方に連設された補強片が前記妻壁の内面に重なり、
前記補強片は、前記妻壁のヒンジの位置から片側へずれて先端縁へ達する切目線で分割され、その一方の補強片には、前記切目線のずれ方向へ張り出すストッパ部が形成され、
組立状態から折畳状態への変換に際し、前記妻壁がヒンジを軸として外側へ折れ曲がろうとすると、前記ストッパ部が前記ヒンジの反対側で前記妻壁の内面に押し付けられて、前記妻壁の外側への折れ曲がりが阻止されるものとしたのである。
【発明の効果】
【００１４】
この発明に係る厚紙製陳列台は、折畳状態で枠体の対向する側壁が接近し、対向する妻壁がヒンジを軸に内側へ窪むように谷折りされているので、小売店への輸送時や保管時に嵩張ることがなく、陳列する商品の販売促進費用を削減できる。また、妻壁とその内側の支持板を連結片で連結し、妻壁の内面に重なる補強片にストッパ部を設けることにより、組立状態から妻壁を確実に内側へ折り曲げて、折畳状態とすることができる。
【００１５】
また、店頭で折畳状態から組み立てる際、枠体の対向する側壁を引き離すだけで、妻壁のヒンジを軸とする折り曲げが伸ばされると共に、受板の中折線に沿った折り曲げが伸ばされて、棚板が下方へ揺動し、枠体の内側にセットされるので、極めて簡単かつ迅速に組み立てられ、陳列作業の効率が向上する。
【００１６】
このため、販売促進ツールとしての設置率が高まることが期待され、商品の売り上げ増加に貢献することができる。
【図面の簡単な説明】
【００１７】
【図１】この発明の第１実施形態に係る厚紙製陳列台の組立状態を示す斜視図
【図２】同上の折畳状態と組立状態の変換過程を示す斜視図
【図３】同上の折畳状態を示す斜視図
【図４】同上の陳列台を構成する部材のブランクを示す図
【図５】同上の折畳補助機構を備えた厚紙製陳列台の組立状態を示す斜視図
【図６】同上の折畳状態と組立状態の変換過程を示す斜視図
【図７】同上の折畳状態を示す斜視図
【図８】同上の組立状態を示す底面図
【図９】同上の折畳状態と組立状態の変換過程を示す底面図
【図１０】同上の陳列台を構成する部材のブランクを示す図
【図１１】この発明の第２実施形態に係る厚紙製陳列台の組立状態を示す斜視図
【図１２】同上の折畳状態と組立状態の変換過程を示す斜視図
【図１３】同上の折畳状態を示す斜視図
【図１４】同上の陳列台を構成する部材のブランクを示す図
【図１５】特許文献１に記載の厚紙製陳列台の組立状態を示す斜視図
【発明を実施するための形態】
【００１８】
まず、この発明の第１実施形態を図１−図４に基づいて説明する。
【００１９】
図１に示すように、この陳列台は、比較的高さが低い角筒状の枠体１と、その内側上部に設けられる棚板２と、棚板２を下方から受け止める受板３と、受板３を下方から支持する支持板４とを備えており、図４に示す段ボール製の各部材のブランクから組み立てられる。枠体１は、段ボールの枠材１０を２枚接合して形成される。２枚の枠材１０は、同一形状とされている。
【００２０】
枠材１０のブランクでは、側壁１１の一方の側辺に妻壁１２が稜部１３を介して連設され、側壁１１の他方の側辺に継代１４が稜部１３を介して連設され、側壁１１及び妻壁１２の上辺にそれぞれ補強片１５，１６が額縁部１７を介して連設されている。
【００２１】
妻壁１２には、幅方向の中央部で上下に延びる罫線のヒンジ１８が設けられ、妻壁１２の上辺に連なる額縁部１７及び補強片１６は、ヒンジ１８の延長線上で切目線により２分割されている。
【００２２】
側壁１１に連なる補強片１５の先端には、２箇所に係合凹部１５ａが形成され、妻壁１２に連なる補強片１６の先端には、切目を有する罫線を介して巻込部１６ａが設けられている。また、枠材１０には、他の部材の貼着時の位置決め用の目印が裏面側の浅い切込により付されている。
【００２３】
棚板２は、棚材２０のブランクの構成部分となっている。棚板２の周囲は、各一対の長辺及び短辺と、斜めに切断された四隅のコーナー辺とから形成されている。棚板２の周囲各辺のうち、一方の長辺には継代２１が折曲部２２を介して連設され、折曲部２２は、重なり合う補強片１５の厚さを回避するため、僅かな間隔をあけて平行する２本の罫線に挟まれたものとされている。他方の長辺には２箇所に係合突起２ａが形成されている。
【００２４】
また、棚板２には、揺動の基端となる折曲部２２側の両側部から先端中央部へかけて、傾斜した斜折線２３が入れられている。斜折線２３は、ミシン目状の切目を有する罫線とされている。また、棚材２０には、受板３の貼着時の位置決め用の目印が裏面側の浅い切込により付されている。
【００２５】
受板３は、受材３０のブランクの構成部分となっている。受板３の一方の長辺には、継代３１が揺動の基端となる折曲部３２を介して連設され、折曲部３２は、重ね合わされる補強片１５の厚さを回避するため、僅かな間隔をあけて平行する２本の罫線に挟まれ、２箇所に係合穴３２ａが設けられたものとされている。
【００２６】
また、受板３には、一対の長辺に挟まれて、中折線３３が折曲部３２と平行するように入れられ、中折線３３は、ミシン目状の切目を有する罫線とされている。受板３の両側縁は、中折線３３へかけて括れるようにＶ字状に切れ込んだ内入縁３４とされている。
【００２７】
なお、内入縁３４は、全体又は一部が曲線であってもよい。また、後述の組立状態で斜折線２３の内側に位置するものであれば、中間部が括れた形状である必要はなく、受板３が三角状をなすように、基端側から先端側へかけて内側へ傾斜した斜縁であってもよい。
【００２８】
支持板４は、２枚使用される支持材４０のブランクの構成部分となっている。支持板４の両側には、継代４１がミシン目状の切目を有する罫線を介して連設され、支持板４の幅方向の中間には、上下に延びる罫線のヒンジ４２が設けられている。ヒンジ４２は、ミシン目状の切目を有する罫線とされている。
【００２９】
上記のようなブランクから陳列台を製作するには、一方の枠材１０の側壁１１の裏面上部に棚材２０の継代２１を折曲部２２で上方へ折り曲げて貼り付け、他方の枠材１０の側壁１１の裏面上部に受材３０の継代３１を折曲部３２で上方へ折り曲げて貼り付ける。そして、それぞれの枠材１０の補強片１５を額縁部１７で折り曲げて、継代２１，３１に被せるように貼り付ける。
【００３０】
次に、それぞれの枠材１０の妻壁１２を稜部１３で折り曲げると共に、ヒンジ１８を軸に内側へ窪むように谷折りし、継代１４を稜部１３で折り曲げる。また、受材３０の受板３を、中折線３３を軸に表面側へ突き出すように山折りし、２枚の支持材４０の支持板４を、ヒンジ４２を軸にして折り曲げ、一方の枠材１０における側壁１１の裏面の所定位置にそれぞれの支持材４０の一側の継代４１を貼り付ける。
【００３１】
その後、２枚の枠材１０を向き合わせて、互いの継代１４を枠体１の対角位置となる妻壁１２の裏面側縁部に貼り付け、それぞれの枠材１０の補強片１６を額縁部１７で折り曲げ、巻込部１６ａを巻き込むように折り曲げて、妻壁１２の裏面上部に貼り付ける。
【００３２】
そして、他方の枠材１０における側壁１１の裏面の所定位置に２枚の支持材４０の他側の継代４１をそれぞれ貼り付け、棚板２の基端寄りの裏面に受板３の中折線３３より先端側部分を貼り合わせると、図３に示すように、枠体１の一対の側壁１１が接近し、棚板２が上方へ跳ね上げられた折畳状態となる。
【００３３】
なお、受板３の先端側部分を、棚板２の基端側が接続される側壁１１に貼り付けるようにして、棚板２と受板３との貼り合わせを省略してもよい。この場合でも、後述の組立状態において、受板３の先端側部分で棚板２の基端側部分を支持できる。
【００３４】
このような折畳状態としておくと、小売店への輸送時や保管時に嵩張らないので、トラック輸送の費用や倉庫での保管費用があまりかかることがなく、陳列する商品の販売促進費用を削減できる。
【００３５】
一方、この陳列台を小売店の店頭で使用するため、図３に示す折畳状態から組み立てる際には、図２に示すように、枠体１の一対の側壁１１を引き離すと、一対の妻壁１２のヒンジ１８を軸とする折り曲げが伸ばされ、これに連動して、一対の支持板４のヒンジ４２を軸とする折り曲げが伸ばされ、また、受板３の中折線３３に沿った折り曲げが伸ばされて、棚板２が下方へ揺動する。
【００３６】
この過程において、棚板２の両側部が斜折線２３を軸に谷折りされて、棚板２と妻壁１２との干渉が回避されると共に、受板３と妻壁１２との干渉が内入縁３４により回避されつつ、棚板２が枠体１の内側にセットされる。
【００３７】
その後、図１に示すように、棚板２の斜折線２３を軸とする折り曲げが復元し、棚板２の押し下げに伴い、棚板２の先端の係合突起２ａが枠体１の係合凹部１５ａ及び受板３の係合穴３２ａに係合し、枠体１が角筒状に保形され、棚板２が受板３により下方から受け止められると共に、受板３が接地する支持板４により下方から支持される。
【００３８】
このように、上記陳列台は、小売店の店頭において、極めて簡単かつ迅速に組み立てられるので、組立説明書も不要となり、陳列作業の効率が向上し、販売促進ツールとしての設置率が高まることが期待され、商品の売り上げ増加に貢献することができる。
【００３９】
次に、上記第１実施形態に折畳補助機構を備えたものにつき、図５−図１０に基づいて説明する。なお、ここでは、上記第１実施形態と共通する部分の記述は省略する。
【００４０】
図１０に示すように、この陳列台の枠材１０のブランクでは、側壁１１及び妻壁１２の上辺だけでなく、下辺にもそれぞれ補強片１５，１６が額縁部１７を介して連設されている。そして、妻壁１２に連なる補強片１６は、ヒンジ１８の位置から片側へずれて先端縁へ達する切目線で分割され、その一方の補強片１６には、切目線のずれ方向へ張り出すストッパ部１６ｂが形成されている。
【００４１】
棚材２０のブランクでは、棚板２の先端縁に、両側の斜折線２３を挟んでその外側から延びる重合片２４が連設されている。上記第１実施形態の棚材２０と比較すると、係合突起２ａは省略されている。
【００４２】
受材３０のブランクでは、上記第１実施形態の受材３０と比較すると、係合穴３２ａが省略されている。
【００４３】
支持材４０のブランクでは、支持板４の上下及び幅方向の中間部において、ヒンジ４２を横切るように２本の切目線が入れられると共に、その一端間に先端となる切目線が入れられ、他端間に根元のヒンジとなる折目線が入れられて、連結片４３が形成されている。連結片４３の先端部分には、折目線を介して貼着部４３ａが設けられている。継代４１の下端部は、側壁１１への貼付時に補強片１５を回避するため、切り欠かれている。
【００４４】
上記ブランクから陳列台を製作する際には、図７に示すように、折畳状態で二つ折りにされた支持板４から連結片４３を根元の折目線を軸に引き起こして、貼着部４３ａを妻壁１２の稜部１３とヒンジ１８の中間部の内面に貼り着けておく。また、補強片１６のストッパ部１６ｂを除く部分を妻壁１２の内面に貼り着けておく。
【００４５】
そして、使用に際し、図５及び図８に示すように、枠体１の対向する側壁１１を引き離して、枠体１が角筒状となる組立状態にすると、一対の支持板４がヒンジ４２を軸に僅かに内側へ折れ曲がった状態となる。
【００４６】
また、輸送や保管のために組立状態から折畳状態へ変換する際には、図６及び図９に示すように、枠体１の対向する側壁１１を接近させると、支持板４のヒンジ４２を軸とする内側への折曲角度が拡大し、連結片４３に引っ張られて一対の妻壁１２がヒンジ１８を軸として内側へ折れ曲がる。また、ストッパ部１６ｂが妻壁１２の内面から離れて、枠体１の内側へ突き出す。
【００４７】
このとき、組立状態で妻壁１２がヒンジ１８を軸として外側へ折れ曲がろうとすると、補強片１６のストッパ部１６ｂがヒンジ１８の反対側で妻壁１２の内面に押し付けられ、妻壁１２の折れ曲がりを阻止するので、ストッパ部１６ｂが折れ曲がらない限り、妻壁１２が外側へ折れ曲がることがなく、必ず内側へ折り曲げられる。
【００４８】
このため、間違った折り曲げにより破れが生じたり、接着部が剥がれたりすることがなく、巡回陳列や頻繁に陳列替えが行われる地域特産品や季節商品等の売場において、何度も繰り返して使用できる。
【００４９】
次に、この発明の第２実施形態を図１１−図１４に基づいて説明する。
【００５０】
図１１に示すように、この陳列台は、比較的高さが高い角筒状の枠体１と、その内側に設けられる上下２段の棚板２と、各段の棚板２をそれぞれ下方から受け止める受板３と、各段の受板３をそれぞれ下方から支持する支持板４とを備えており、図１４に示す段ボール製の各部材のブランクから組み立てられる。枠体１は、段ボールの正面側の枠材１０Ａと背面側の枠材１０Ｂを接合して形成される。
【００５１】
枠材１０Ａのブランクでは、間隔があいた上下２段の側壁１１の両側に妻壁１２の正面側の半分をなす妻板１２Ａが稜部１３を介して連設されている。妻板１２Ａは、上段側と下段側の間の窓部で端縁が凹入し、その凹入部に補強片１２ａが連設されている。
【００５２】
枠材１０Ｂのブランクでは、上下２段の全高に及ぶ側壁１１の一方の側辺に妻壁１２の背面側の半分をなす妻板１２Ｂが稜部１３を介して連設され、その開放端側に継代１４が上下に延びる罫線のヒンジ１８を介して連設されている。
【００５３】
枠材１０Ａの上下段の側壁１１及び枠材１０Ｂの側壁１１の上辺には、補強片１５がそれぞれ額縁部１７を介して連設され、枠材１０Ａ，１０Ｂの妻板１２Ａ，１２Ｂの上辺には、補強片１６がそれぞれ額縁部１７を介して連設されている。
【００５４】
枠材１０Ａの上段の側壁１１及び枠材１０Ｂの側壁１１の上辺から延びる補強片１５の先端には、２箇所に係合凹部１５ａが形成され、枠材１０Ａの下段の側壁１１の上辺から延びる補強片１５の先端には巻込部１５ｂが、枠材１０Ａ，１０Ｂの妻板１２Ａ，１２Ｂの上辺から延びる補強片１６の先端には巻込部１６ａがそれぞれ切目を有する罫線を介して設けられている。また、枠材１０Ａ，１０Ｂには、他の部材の貼着時の位置決め用の目印が裏面側の浅い切込により付されている。
【００５５】
上段の棚板２は、棚材２０Ａのブランクの構成部分となっており、下段の棚板２は、棚材２０Ｂのブランクの構成部分となっている。各段の棚板２の周囲は、各一対の長辺及び短辺と、斜めに切断された四隅のコーナー辺とから形成されている。
【００５６】
各段の棚板２の一方の長辺には、継代２１が折曲部２２を介して連設され、上段の棚材２０Ａの折曲部２２は、重なり合う補強片１５の厚さを回避するため、僅かな間隔をあけて平行する２本の罫線に挟まれたものとされている。各段の棚板２の他方の長辺には２箇所に係合突起２ａが形成されている。
【００５７】
また、各段の棚板２には、揺動の基端となる折曲部２２側の両側部から先端中央部へかけて、傾斜した斜折線２３が入れられている。これらの斜折線２３は、ミシン目状の切目を有する罫線とされている。また、棚材２０Ａ，２０Ｂには、受板３の貼着時の位置決め用の目印が裏面側の浅い切込により付されている。
【００５８】
上段の受板３は、受材３０Ａのブランクの構成部分となっており、下段の受板３は、受材３０Ｂのブランクの構成部分となっている。各段の受板３の一方の長辺には、継代３１が揺動の基端となる折曲部３２を介して連設されている。上段の受材３０Ａの折曲部３２は、重ね合わされる補強片１５の厚さを回避するため、僅かな間隔をあけて平行する２本の罫線に挟まれ、２箇所に係合穴３２ａが設けられたものとされている。
【００５９】
また、各段の受板３には、一対の長辺の間に挟まれるように、折曲部３２と平行する中折線３３が入れられ、中折線３３は、ミシン目状の切目を有する罫線とされている。各段の受板３の両側縁は、中折線３３へかけて括れるようにＶ字状に切れ込んだ内入縁３４とされている。
【００６０】
なお、内入縁３４は、全体又は一部が曲線であってもよい。また、後述の組立状態で斜折線２３の内側に位置するものであれば、中間部が括れた形状である必要はなく、受板３が三角状をなすように、基端側から先端側へかけて内側へ傾斜した斜縁であってもよい。
【００６１】
支持板４は、上段及び下段それぞれ２枚ずつ合計４枚使用される支持材４０のブランクの構成部分となっている。支持板４の両側には、継代４１がミシン目状の切目を有する罫線を介して連設され、支持板４の幅方向の中間には、上下に延びる罫線のヒンジ４２が設けられている。ヒンジ４２は、ミシン目状の切目を有する罫線とされている
【００６２】
上記のようなブランクから陳列台を製作するには、背面側の枠材１０Ｂに対して、上段の棚材２０Ａの継代２１を折曲部２２で上方へ折り曲げて、側壁１１の裏面上部の所定位置に貼り付け、補強片１５を額縁部１７で折り曲げて、継代２１に被せるように貼り付ける。また、下段の棚材２０Ｂの継代２１を折曲部２２で下方へ折り曲げて、側壁１１の裏面下部の所定位置に貼り付ける。
【００６３】
また、正面側の枠材１０Ａにおいて、補強片１２ａを内側へ折り曲げて妻壁１２の裏面に貼り付けておき、この枠材１０Ａに対して、上段の受材３０Ａの継代３１を上方へ、下段の受材３０Ｂの継代３１を下方へそれぞれ折曲部３２で折り曲げて、上段及び下段の側壁１１の裏面の所定位置に貼り付ける。
【００６４】
なお、正面側の枠材１０Ａに棚材２０Ａ，２０Ｂを貼り付け、背面側の枠材１０Ｂに受材３０Ａ，３０Ｂを貼り付けるようにしてもよい。
【００６５】
そして、枠材１０Ａの上段の補強片１５を額縁部１７で折り曲げて、上段の受材３０Ａの継代３１に被せるように貼り付け、下段の補強片１５を額縁部１７で折り曲げ、巻込部１５ｂを巻き込むように折り曲げて、下段の側壁１１の裏面上部に貼り付ける。
【００６６】
次に、枠材１０Ａ，１０Ｂの妻壁１２を稜部１３で折り曲げて、枠材１０Ｂの継代１４を、ヒンジ１８を軸に表面側が窪むように谷折りする。また、受材３０Ａ，３０Ｂの受板３を、中折線３３を軸に表面側が突き出すように山折りし、上下段各２枚の支持材４０の支持板４を、ヒンジ４２を軸にして折り曲げ、枠材１０Ａ，１０Ｂの一方の側壁１１における裏面の所定位置に、それぞれの支持材４０の一側の継代４１を貼り付ける。
【００６７】
その後、枠材１０Ｂの継代１４を、枠材１０Ａの妻板１２Ａの開放端に臨む部分の裏面に貼り付けることにより、妻板１２Ａ，１２Ｂが接合された妻壁１２を形成し、妻壁１２の上端部の補強片１６を額縁部１７で折り曲げ、巻込部１６ａを巻き込むように折り曲げて、妻板１２Ａ，１２Ｂの裏面上部に貼り付ける。
【００６８】
そして、枠材１０Ａ，１０Ｂの他方の側壁１１における裏面の所定位置に、それぞれの支持材４０の他側の継代４１を貼り付け、各段の棚板２の基端寄りの裏面に受板３の中折線３３より先端側部分を貼り合わせると、図１３に示すように、枠体１の一対の側壁１１が接近し、棚板２が上方へ跳ね上げられた折畳状態となる。
【００６９】
なお、受板３の先端側部分を、棚板２の基端側が接続される側壁１１に貼り付けるようにして、棚板２と受板３との貼り合わせを省略してもよい。この場合でも、後述の組立状態において、受板３の先端側部分で棚板２の基端側部分を支持できる。
【００７０】
このような折畳状態としておくと、小売店への輸送時や保管時に嵩張らないので、トラック輸送の費用や倉庫での保管費用があまりかかることがなく、陳列する商品の販売促進費用を削減できる。
【００７１】
一方、この陳列台を小売店の店頭で使用するため、図１３に示す折畳状態から組み立てる際には、図１２に示すように、枠体１の一対の側壁１１を引き離すと、一対の妻壁１２のヒンジ１８を軸とする折り曲げが伸ばされ、これに連動して、一対の支持板４のヒンジ４２を軸とする折り曲げが伸ばされ、また、受板３の中折線３３に沿った折り曲げが伸ばされて、上下段の棚板２が下方へ同時に揺動する。
【００７２】
この過程において、各段の棚板２の両側部が斜折線２３を軸に谷折りされて、棚板２と妻壁１２との干渉が回避されると共に、受板３と妻壁１２との干渉が内入縁３４により回避されつつ、棚板２が枠体１の内側にセットされる。
【００７３】
その後、図１１に示すように、各段の棚板２の斜折線２３を軸とする折り曲げが復元して、各段の棚板２の押し下げに伴い、上段の棚板２の先端の係合突起２ａが枠体１の係合凹部１５ａ及び受板３の係合穴３２ａに係合し、下段の棚板２の先端が側壁１１の内側の補強片１５に当接して、枠体１が角筒状に保形され、棚板２が受板３により下方から受け止められると共に、受板３が支持板４により下方から支持される。
【００７４】
このように、上記陳列台は、小売店の店頭において、極めて簡単かつ迅速に組み立てられるので、組立説明書も不要となり、陳列作業の効率が向上し、販売促進ツールとしての設置率が高まることが期待され、また、陳列状態では、棚板２が上下２段となっていることから、多数の商品を陳列できると共に、訴求性が高まり、商品の売り上げ増加に貢献することができる。
【００７５】
なお、上記第２実施形態では、上下段の棚板２の間の窓部が枠体１の長面にあるものを例示したが、陳列する商品の形状や、店頭の売場での設置状況に応じて、この窓部を枠体１の短面に設けることもできる。
【００７６】
また、棚板２が２段のものを例示したが、さらに多段の棚板２を有する陳列台においても、上記と同様の折畳状態からの簡易組立構造を適用することができる。
【符号の説明】
【００７７】
１  枠体
２  棚板
２ａ  係合突起
３  受板
４  支持板
１０，１０Ａ，１０Ｂ  枠材
１１  側壁
１２  妻壁
１２Ａ，１２Ｂ  妻板
１２ａ  補強片
１３  稜部
１４  継代
１５，１６  補強片
１５ａ  係合凹部
１５ｂ，１６ａ  巻込部
１６ｂ  ストッパ部
１７  額縁部
１８  ヒンジ
２０，２０Ａ，２０Ｂ  棚材
２１  継代
２２  折曲部
２３  斜折線
２４  重合片
３０，３０Ａ，３０Ｂ  受材
３１  継代
３２  折曲部
３２ａ  係合穴
３３  中折線
３４  内入縁
４０  支持材
４１  継代
４２  ヒンジ
４３  連結片
４３ａ  貼着部
【図１】
2019098140.tif 000003
【図２】
2019098140.tif 000004
【図３】
2019098140.tif 000005
【図４】
2019098140.tif 000006
【図５】
2019098140.tif 000007
【図６】
2019098140.tif 000008
【図７】
2019098140.tif 000009
【図８】
2019098140.tif 000010
【図９】
2019098140.tif 000011
【図１０】
2019098140.tif 000012
【図１１】
2019098140.tif 000013
【図１２】
2019098140.tif 000014
【図１３】
2019098140.tif 000015
【図１４】
2019098140.tif 000016
【図１５】
2019098140.tif 000017